(57)【要約】【課題】過度の外力による破損を防止するためのプッシュボタンを提供する。【解決手段】機能を制御するスイッチを有する制御盤と、前記制御盤に設けられる挿着凹部と、前記挿着凹部内に所定距離だけ移動可能に設けられるボタン部と、前記挿着凹部を貫通し、前記ボタン部から前記スイッチに伝達された力により移動するプッシュ部と、前記ボタン部から伝達される力に応じて相違したスプリング定数を有する第１及び第２スプリングとを含む。通常の外力がボタンに加わると、第２スプリングが弾性変形してスイッチを作動させ、過度の外力が加わると、第１スプリングが弾性変形して過度の外力を緩衝する。【選択図】        図２
2004172083.tif 000002
【特許請求の範囲】
【請求項１】
機能を制御するスイッチを有する制御盤と、
前記制御盤に設けられる挿着凹部と、
前記挿着凹部内に所定距離だけ移動可能に設けられるボタン部と、
前記挿着凹部を貫通し、前記ボタン部から前記スイッチに伝達された力により移動するプッシュ部と、
前記ボタン部から伝達される力に応じて相違したスプリング定数を有する第１及び第２スプリングとを含んでなることを特徴とするプッシュボタン。
【請求項２】
前記プッシュ部は、
前記ボタン部と前記挿着凹部間に設けられる支持部と、
前記支持部から延長され、前記挿着凹部を通過して前記スイッチを押すプッシュ部とを含み、
前記第１スプリングは前記ボタン部と前記支持部間に設けられ、前記第２スプリングは前記支持部と前記挿着凹部間に設けられ、前記第１スプリングは前記第２スプリングより大きいスプリング定数を有することを特徴とする請求項１に記載のプッシュボタン。
【請求項３】
前記プッシュ部は前記ボタン部から一体的に延長され、前記第１及び第２スプリングは単一構造に一体化され、前記ボタン部と前記挿着凹部間に設けられることを特徴とする請求項１に記載のプッシュボタン。
【請求項４】
前記挿着凹部は前記ボタン部を前記挿着凹部に係止させるため係止孔を有し、前記挿着凹部は、前記プッシュ部が前記挿着凹部を通過するようにする貫通孔を有し、前記ボタン部は係止フックを有し、前記係止フックは、前記ボタン部が所定距離だけ移動可能に挿着凹部内に挿着されるように、前記挿着凹部の係止孔の縁部に係止されることを特徴とする請求項２に記載のプッシュボタン。
【請求項５】
前記挿着凹部は前記ボタン部を前記挿着凹部に係止させるため係止孔を有し、前記挿着凹部は、前記プッシュ部が前記挿着凹部を通過するようにする貫通孔を有し、前記ボタン部は係止フックを有し、前記係止フックは、前記ボタン部が所定距離だけ移動可能に挿着凹部内に挿着されるように、前記挿着凹部の係止孔の縁部に係止されることを特徴とする請求項３に記載のプッシュボタン。
【請求項６】
前記ボタン部は略円筒状を有し、前記挿着凹部は略円形を有することを特徴とする請求項１に記載のプッシュボタン。
【請求項７】
電気装置の機能を制御するスイッチを有する制御盤と、
前記制御盤に設けられる挿着凹部と、
前記挿着凹部内に所定距離だけ移動可能に設けられるボタン部と、
前記挿着凹部を貫通し、前記ボタン部から前記スイッチに伝達された力により移動するプッシュ部と、
前記ボタン部から伝達される力に応じて相違したスプリング定数を有する第１及び第２スプリングとを含んでなるプッシュボタンを有することを特徴とする電気装置。
【請求項８】
前記プッシュ部は、
前記ボタン部と前記挿着凹部間に設けられる支持部と、
前記支持部から延長され、前記挿着凹部を通過して前記スイッチを押すプッシュ部とを含み、
前記第１スプリングは前記ボタン部と前記支持部間に設けられ、前記第２スプリングは前記支持部と前記挿着凹部間に設けられ、前記第１スプリングは前記第２スプリングより大きいスプリング定数を有することを特徴とする請求項７に記載の電気装置。
【請求項９】
前記プッシュ部は前記ボタン部から一体的に延長され、前記第１及び第２スプリングは単一構造に一体化され、前記ボタン部と前記挿着凹部間に設けられることを特徴とする請求項７に記載の電気装置。
【請求項１０】
前記挿着凹部は前記ボタン部を前記挿着凹部に係止させるため係止孔を有し、前記挿着凹部は、前記プッシュ部が前記挿着凹部を通過するようにする貫通孔を有し、前記ボタン部は係止フックを有し、前記係止フックは、前記ボタン部が所定距離だけ移動可能に挿着凹部内に挿着されるように、前記挿着凹部の係止孔の縁部に係止されることを特徴とする請求項８に記載の電気装置。
【請求項１１】
前記挿着凹部は前記ボタン部を前記挿着凹部に係止させるため係止孔を有し、前記挿着凹部は、前記プッシュ部が前記挿着凹部を通過するようにする貫通孔を有し、前記ボタン部は係止フックを有し、前記係止フックは、前記ボタン部が所定距離だけ移動可能に挿着凹部内に挿着されるように、前記挿着凹部の係止孔の縁部に係止されることを特徴とする請求項９に記載の電気装置。
【請求項１２】
機能を制御するスイッチを有する制御盤と、
前記制御盤に設けられる挿着凹部と、
前記挿着凹部内に所定距離だけ移動可能に設けられるボタン部と、
前記ボタン部から前記スイッチに力を伝達するプッシュ部と、
前記ボタン部から前記スイッチに伝達される力に応じて設けられる多数のダンピング装置とを含んでなることを特徴とするプッシュボタン。
【請求項１３】
前記多数のダンピング装置は相違したダンピング係数を有することを特徴とする請求項１２に記載のプッシュボタン。
【請求項１４】
前記多数のダンピング装置はスプリングであることを特徴とする請求項１２に記載のプッシュボタン。
【請求項１５】
前記多数のダンピング装置はダンピング容器であることを特徴とする請求項１２に記載のプッシュボタン。
【請求項１６】
前記プッシュ部は、
前記ボタン部と前記挿着凹部間に設けられる支持部と、
前記スイッチを押すため、前記支持部から延長されるプッシュ部とを含み、
前記多数のダンピング装置は、
前記ボタン部と前記支持部間に設けられる第１ダンピング装置と、
前記支持部と前記挿着凹部間に設けられる第２ダンピング装置とを含み、
前記第１ダンピング装置は前記第２ダンピング装置より大きいダンピング係数を有することを特徴とする請求項１２に記載のプッシュボタン。
【請求項１７】
前記多数のダンピング装置は第１及び第２ダンピング装置からなり、前記第１及び第２ダンピング装置は単一構造に一体化され前記ボタン部と前記挿着凹部間に設けられることを特徴とする請求項１２に記載のプッシュボタン。
【請求項１８】
スイッチを有するプッシュボタンにおいて、
ボタン部と、
第１及び第２ダンピング装置とを含んでなり、
前記ボタン部を介して前記スイッチに力が伝達され、第１力に応じて前記第１ダンピング装置が一次に弾性圧縮して前記スイッチを作動させ、前記第１力より大きい第２力に応じて前記第１ダンピング装置が一次に弾性圧縮した後、前記第２ダンピング装置が２次に弾性圧縮して前記スイッチを作動させ、続いて前記ボタン部が前記スイッチの作動地点を過ぎて移動することを特徴とするプッシュボタン。
【発明の詳細な説明】
【０００１】
【発明の属する技術分野】
本発明プッシュボタンに係り、より詳しくは過度の外力が作用しても損傷又は破損しないようにしたプッシュボタンに関するものである。
【０００２】
【従来の技術】
一般に、プッシュボタンは、制御盤内に設けられたスイッチをオン／オフするため、各種の電子製品の制御盤に適用される装置である。
【０００３】
図１は従来のプッシュボタンを示す。同図に示すように、従来のプッシュボタン２は、制御盤１に凹形に形成された挿着凹部に設けられ、下方に開放された円筒状のボタン３と、該ボタン３から延長され、前記挿着凹部１ａの底面を貫通し、前記制御盤１の内側に設けられたスイッチ６を押す棒状のプッシュ部材４と、前記ボタン３を挿着凹部１ａ内で弾支するスプリング５とを含む。
【０００４】
したがって、ボタン３に外力が加わると、スプリング５が外力により変形されるとともにボタン３及びプッシュ部材４が下方に移動する。よって、プッシュ部材４の端部がスイッチを押してスイッチ６をオン／オフにする。ボタン３に作用する外力が除去されると、スプリング５が復元しながらボタン３及びプッシュ部材４を原状に復帰させることになる。
【０００５】
しかし、かかる従来のプッシュボタン２は、ボタン３に過度の外力が加わると、ボタン３に伝達された外力がプッシュ部材４を介して、スイッチ６及びスイッチ６の取り付けられた回路基板７に直接伝達されるので、外力によりスイッチ６及び回路基板７が損傷するおそれがあるという問題点がある。
【０００６】
また、使用者がボタンを押したとき、プッシュ部材４がスイッチ６に支持されることにより発生する反力がプッシュ部材４及びボタン３を介して使用者にそのまま伝達されるので、使用者がボタン３の操作感が悪いと感じることになる問題点がある。
【０００７】
【発明が解決しようとする課題】
したがって、本発明はこのような従来の問題点を解決するためになされたもので、その目的は、過度の外力が作用する場合にも、外力により内部のスイッチ及び回路基板が損傷又は破損しないようにするプッシュボタンを提供することにある。
【０００８】
また、本発明のほかの目的は、ボタンの操作感を向上させたプッシュボタンを提供することにある。
【０００９】
また、本発明のさらにほかの目的は、過度の外力がプッシュボタンに作用する場合にも、外力により内部のスイッチ及び回路基板が損傷又は破損しないようにするプッシュボタンを有する電気装置を提供することにある。
【００１０】
【課題を解決するための手段】
前記のような目的を達成するため、本発明は、機能を制御するスイッチを有する制御盤と、前記制御盤に設けられる挿着凹部と、前記挿着凹部内に所定距離だけ移動可能に設けられるボタン部と、前記挿着凹部を貫通し、前記ボタン部から前記スイッチに伝達された力により移動するプッシュ部と、前記ボタン部から伝達される力に応じて相違したスプリング定数を有する第１及び第２スプリングとを含んでなるプッシュボタンを提供する。
【００１１】
また、前記プッシュ部は、前記ボタン部と前記挿着凹部間に設けられる支持部と、前記支持部から延長され、前記挿着凹部を通過して前記スイッチを押すプッシュ部とを含む。前記第１スプリングは前記ボタン部と前記支持部間に設けられ、前記第２スプリングは前記支持部と前記挿着凹部間に設けられ、前記第１スプリングは前記第２スプリングより大きいスプリング定数を有する。
【００１２】
前記プッシュ部は前記ボタン部から一体的に延長され、前記第１及び第２スプリングは単一構造に一体化され、前記ボタン部と前記挿着凹部間に設けられる。
【００１３】
また、前記挿着凹部は前記ボタン部を前記挿着凹部に係止させるため係止孔を有し、前記挿着凹部は、前記プッシュ部が前記挿着凹部を通過するようにする貫通孔を有し、前記ボタン部は係止フックを有し、前記係止フックは、前記ボタン部が所定距離だけ移動可能に挿着凹部内に挿着されるように、前記挿着凹部の係止孔の縁部に係止される。
【００１４】
【発明の実施の形態】
以下、本発明の好ましい実施例を添付図面に基づいて詳細に説明する。
【００１５】
図２及び図３に示すように、本発明の第１実施例によるプッシュボタンは各種の電子製品の制御盤１０に取り付けられ、制御盤１０の内側に設けられたスイッチ１３を操作する。
【００１６】
制御盤１０の内側には電子製品の動作を制御するための回路基板１２が設けられ、該回路基板１２にはスイッチ１３が取り付けられる。スイッチ１３の上部には、制御盤１０にプッシュボタン２０を取り付けるため、円形の挿着凹部１１が設けられる。
【００１７】
本発明の第１実施例によると、プッシュボタン２０は、挿着凹部１１に設けられるボタン２１と、該ボタン２１と挿着凹部１１間に設けられる支持部２２ａ及び該支持部２２ａから延長され、挿着凹部１１の底面を貫通するプッシュ部２２ｂからなるプッシュ部材２２と、ボタン２１と支持部２２ａ間に設けられ、過度の外力又はスイッチからの反力を緩衝させる第１ダンピング装置２３と、支持部２２ａと挿着凹部１１間に設けられ、プッシュ部材２２を挿着凹部１１内で弾支する第２ダンピング装置２４とを含む。前記第１及び第２ダンピング装置２３、２４としては、スプリング又は流体ダンピング容器などのような公知のものを使うことができるが、本実施例において、前記第１及び第２ダンピング装置２３、２４は以下に第１及び第２スプリング２３、２４という。
【００１８】
ボタン２１は下方に開放された円筒状に形成され、挿着凹部１１に、所定距離移動可能に取り付けられるように、係止フック２１ａが下端から延長される。挿着凹部１１には前記係止フック２１ａが係止される係止孔１１ａが形成される。
【００１９】
プッシュ部材２２の支持部２２ａは円盤状に形成され、その上面及び下面に第１スプリング２３と第２スプリング２４の一端がそれぞれ支持される。したがって、前記支持部２２ａは、外部から作用する外力と第１及び第２スプリング２３、２４の相互作用により、上下に遊動できる。
【００２０】
プッシュ部２２ｂは支持部２２ａの中心から延長され、第２スプリング２４の中央空間と貫通孔１１ｂを順次通過して、その下端がスイッチ１３から所定距離だけ離隔するように取り付けられる。したがって、外力によりボタン２１が押され、第１スプリング２３を介して支持部２２ａに外力が伝達されると、下方に移動してスイッチ１３をオン／オフにする。挿着凹部１１には前記プッシュ部２２ｂが通過するように貫通孔１１ｂが設けられる。
【００２１】
第１スプリング２３と第２スプリング２４はボタン２１と挿着凹部１１間に設けられ、ボタン２１と挿着凹部１１との間で支持部２２ａを弾支するもので、ボタン２１に通常の外力が作用する場合は第２スプリング２４のみが弾性変形してスイッチ１３をオン／オフにするが、過度の外力が加わる場合は第１スプリング２３が弾性変形して外力を緩衝するようになっている。このため、第１スプリング２３のスプリング定数に比べて大きくなっている。
【００２２】
本実施例において、“上”と“下”という表現は図面を基準に説明するためのもので、プッシュボタンの配置関係を限定するためのものではない。
【００２３】
つぎに、このように構成された本発明によるプッシュボタンの動作及び作用効果を図面に基づいて詳細に説明する。
【００２４】
通常の外力がボタン２１に加わると、図４に示すように、第１スプリング２３に比べて小さいスプリング定数を有する第２スプリング２４が弾性変形し、ボタン２１とプッシュ部材２２が下方に移動する。よって、プッシュ部２２ｂの下端はその下側に設けられたスイッチ１３を押してオン／オフにする。
【００２５】
この際、ボタン２１に作用する過度の外力は第２スプリング２４の弾性力を超えるので、第２スプリング２４により全部緩衝できない。したがって、第２スプリング２４が弾性変形した後、図５に示すように、第１スプリング２３が弾性変形する。したがって、プッシュ部材２２は移動せずにボタン２１のみが下方に移動することにより、ボタン２１に加わる過度の外力が緩衝される。
【００２６】
したがって、プッシュボタン２０に加わる過度の外力は第１スプリング２３により緩衝されるので、スイッチ１３及びスイッチ１３の取り付けられた回路基板１２には外力が伝達されない。
【００２７】
また、使用者がボタン２１を押すとき、プッシュ部材２２とスイッチ１３間で発生する反力は第１スプリング２３により緩衝されるので、使用者がソフトな操作感を感じることになる。
【００２８】
図６は本発明の第２実施例によるプッシュボタンを示す。同図に示すように、本発明の第２実施例によるプッシュボタン２０’は、外力が加わるボタン２１’と、該ボタン２１’から一体的に延長されボタン２１’とともに移動し、スイッチ１３を押してオン／オフにするプッシュ部材２２’と、互いに一体的に構成され、相違したスプリング定数を有する第１スプリング２３’及び第２スプリング２４’とを含む。
【００２９】
したがって、ボタン２１’に外力が加わると、第１スプリング２３’と第２スプリング２４’のなかで、相対的に小さいスプリング定数を有するスプリングが先に弾性変形して、プッシュ部材２２’がスイッチ１３を動作させ、プッシュ部材２２’がスイッチ１３に支持されている状態で、引き続き外力が加わると、ほかのスプリングが弾性変形して外力を緩衝させることになる。
【００３０】
【発明の効果】
以上説明したように、本発明によるプッシュボタンは、過度の外力が加わっても、ボタンと支持部間に設けられた第１スプリングにより過度の外力が緩衝されるので、プッシュボタンの下部に設けられたスイッチ及び回路基板に過度の外力が伝達されることを防止する効果がある。
【００３１】
また、プッシュ部材がスイッチに支持されプッシュ部材とスイッチ間で発生する反力が第１スプリングにより緩衝されるので、プッシュボタンの操作感が向上される効果がある。
【図面の簡単な説明】
【図１】従来のプッシュボタンを示す断面図である。
【図２】本発明の第１実施例によるプッシュボタンを示す分解斜視図である。
【図３】本発明の第１実施例によるプッシュボタンを示す断面図である。
【図４】本発明の第１実施例によるプッシュボタンに通常の外力が加わる場合の動作状態を示す断面図である。
【図５】本発明の第１実施例によるプッシュボタンに過度の外力が加わる場合の動作状態を示す断面図である。
【図６】本発明の第２実施例によるプッシュボタンの断面図である。
【符号の説明】
１０  制御盤
１１  挿着凹部
１１ａ  係止孔
１２  回路基板
１３  スイッチ
２０、２０’  プッシュボタン
２１、２１’  ボタン
２１ａ  係止フック
２２、２２’  プッシュ部材
２２ａ  支持部
２２ｂ  プッシュ部
２３、２３’  第１スプリング
２４、２４’  第２スプリング
【図１】
2004172083.tif 000003
【図２】
2004172083.tif 000004
【図３】
2004172083.tif 000005
【図４】
2004172083.tif 000006
【図５】
2004172083.tif 000007
【図６】
2004172083.tif 000008